(57)【要約】【目的】  部品点数を増加させず小型化すること。【構成】  エマージェンシー機構９の当たり板１８がケーシングのフロントパネル１ａに接近して該ケーシングに枢着軸３８回りで回動可能に枢着され、前記スライドバー１４の端部に突設したレバー１４ｂに対向して前記当たり板１８にアーム４０が突設され、前記当たり板１８の細棒接触面１８ａに接近する所定長さのノズル２１が前記フロントパネル１ａの内側面に挿通孔４と同心状に一体突設されており、挿通孔４に挿通した細棒８をノズル２１で案内し該細棒８の先端を細棒接触面１８ａに接触させて当たり板１８を枢着軸３８回りで押し込むことにより、アーム４０及びレバー１４ｂを介してスライドバー１４を矢印ｃ方向にスライドさせることによりトレイを若干前進ａさせるようにした。【選択図】        図９
2004348933.tif 000002
【特許請求の範囲】
【請求項１】
ケーシング内に配置したトレイを前後進させるためのトレイ駆動装置と、そのトレイを細棒による手動操作で若干前進させるためのエマージェンシー機構とを有し、前記トレイ駆動装置が、前記トレイの下面に設けたラックに対向してケーシングの前部に設けたギヤ機構と、ケーシングの前部に前後進方向とは直交する横断方向に沿ってスライド可能に配置したスライドバーと、該スライドバーに突設されてトレイの下面に形成したガイド溝に嵌入するガイドピンと、前記スライドバーに一体形成されて前記ギヤ機構に係脱可能な歯部とを有し、アンローディング信号に基づいてギヤ機構を駆動することにより、該ギヤ機構に係合する歯部を介してスライドバーを一方向にスライドさせ、ガイドピンによりガイド溝の傾斜状内側面を押圧することによりトレイを若干前進させてラックをギヤ機構に噛合させると共に、前記歯部をギヤ機構から離脱させ、そのギヤ機構の駆動によりトレイを前進させるようになっており、また、前記エマージェンシー機構が前記ギヤ機構内に組み込んだ当たり板を有し、該当たり板に対向して前記ケーシングのフロントパネルに挿通孔が貫設され、該挿通孔の近傍から当たり板まで延びる案内板が配置されており、該挿通孔に挿通した細棒を案内板により案内して当たり板の細棒接触面に接触させて該当たり板を押し込むことにより、ギヤ機構及び歯部を介してスライドバーを一方向にスライドさせることによりトレイを若干前進させるようにしたディスクプレーヤにおいて、エマージェンシー機構の当たり板がギヤ機構内から取り出してケーシングのフロントパネルに接近して該ケーシングに枢着軸回りで回動可能に枢着され、該当たり板の細棒接触面の縦幅及び横幅が細棒の外径の５倍以上に設定され、前記スライドレバーの端部に突設したレバーに対向して前記当たり板にアームが突設され、前記案内板に代えて前記細棒接触面に接近する所定長さのノズルが前記フロントパネルの内側面に挿通孔と同心状に一体突設されており、挿通孔に挿通した細棒をノズルで案内し該細棒の先端を当たり板の細棒接触面に接触させて該当たり板を枢着軸回りで押し込むことにより、アーム及びレバーを介してスライドバーを一方向にスライドさせることによりトレイを若干前進させるようにしたことを特徴とするディスクプレーヤ。
【請求項２】
ケーシング内に配置したトレイを前後進させるためのトレイ駆動装置と、そのトレイを細棒による手動操作で若干前進させるためのエマージェンシー機構とを有し、前記トレイ駆動装置が、前記トレイの下面に設けたラックに対向してケーシングの前部に設けたギヤ機構と、ケーシングの前部に前後進方向とは直交する横断方向に沿ってスライド可能に配置したスライドバーと、該スライドバーに突設されてトレイの下面に形成したガイド溝に嵌入するガイドピンと、前記スライドバーに一体形成されて前記ギヤ機構に係脱可能な歯部とを有し、アンローディング信号に基づいてギヤ機構を駆動することにより、該ギヤ機構に係合する歯部を介してスライドバーを一方向にスライドさせ、ガイドピンによりガイド溝の傾斜状内側面を押圧することによりトレイを若干前進させてラックをギヤ機構に噛合させると共に、前記歯部をギヤ機構から離脱させ、そのギヤ機構の駆動によりトレイを前進させるようにしたディスクプレーヤにおいて、前記エマージェンシー機構が、ケーシングのフロントパネルに接近して該ケーシングに枢着軸回りで回動可能に枢着された当たり板を有し、前記スライドレバーの端部に突設したレバーに対向して前記当たり板にアームが突設され、前記当たり板の細棒接触面に接近する所定長さのノズルが前記フロントパネルの内側面に挿通孔と同心状に一体突設されており、挿通孔に挿通した細棒をノズルで案内し該細棒の先端を当たり板の細棒接触面に接触させて該当たり板を枢着軸回りで押し込むことにより、アーム及びレバーを介してスライドバーを一方向にスライドさせることによりトレイを若干前進させるようにしたことを特徴とするディスクプレーヤ。
【請求項３】
前記当たり板の細棒接触面の縦幅及び横幅が細棒の外径の５倍以上に設定されていることを特徴とする請求項２に記載のディスクプレーヤ。
【発明の詳細な説明】
【技術分野】
【０００１】
本発明は、ＤＶＤ・ＲＷなどの光ディスク、磁気ディスク（以下、ディスクと略称する）の再生や記録または消去を行うためのディスクプレーヤに関する。
【背景技術】
【０００２】
ディスクプレーヤの一例として図１２に示すものがある。これは、ケーシング１内にトレイ２が前後進ａ，ｂ可能に配置され、ケーシング１のフロントパネル１ａに、ローディング用押釦３、エマージェンシー機構用挿通孔４、作動表示灯５、ボリウムノブ６及びヘッドフォン用プラグ７が設けられている。
【０００３】
上記構成において、トレイ２をケーシング１内に収納している状態（図１２実線参照）から押釦３を押すことにより、アンローディング信号に基づいてトレイ２が前進ａされ（図１２仮想線参照）、該トレイ２上にディスクＤ（図３参照）を載置した後、押釦３を押すことにより、ローディング信号に基づいてトレイ２が後進ｂされる。
【０００４】
上記構成において、押釦３を押してもトレイ２を前進ａさせることができない場合には、細棒８を挿通孔４に挿通してエマージェンシー機構９（後述する）を手動操作することにより、トレイ２を若干前進ａさせ、該トレイ２の前端部を指部により引き出せばよい。
【０００５】
従来、エマージェンシー機構９の技術として特許文献１に記載したものがある。これは、図１３から図１５に示すように、トレイ２を前後進ａ，ｂさせるためのトレイ駆動装置１０内にエマージェンシー機構９を組み込んだものである。
【０００６】
前記トレイ駆動装置１０は、トレイ２の下面に設けたラック１２（図３参照）に対向してケーシング１の前部に設けたギヤ機構１３と、ケーシング１の前部に前後進ａ，ｂ方向とは直交する横断方向ｃ，ｄに沿ってスライド可能に配置したスライドバー１４と、該スライドバー１４に突設されてトレイ２の下面に形成したガイド溝１５に嵌入するガイドピン１６と、前記スライドバー１４に一体形成されて前記ギヤ機構１３に係脱可能な歯部１４ａとを有している。
【０００７】
前記エマージェンシー機構９は、ギヤ機構１３を形成するギヤの下面に一体形成した当たり板１８を有しており、挿通孔４の近傍から当たり板１８の細棒接触面１８ａまで延びる案内板１９が配置されている。
【０００８】
上記構成において、挿通孔４に挿通した細棒８を案内板１９で案内し該細棒８の先端を当たり板１８の細棒接触面１８ａに接触させて該当たり板１８を押し込むことにより、ギヤ機構１３及び歯部１４ａを介してスライドバー１４を矢印ｄ方向にスライドさせ、ガイドピン１６によりガイド溝１５の傾斜状内側面１５ａを押圧することによりトレイ２を若干前進ａさせ（図１３及び図１４の仮想線参照）、該トレイ２の前端部を指部により引き出す。
【０００９】
【特許文献１】特開２００２−１０００９６号公報
【発明の開示】
【発明が解決しようとする課題】
【００１０】
上記構成では、図１５に示すように、当たり板１８がギヤ機構１３内に組み込まれて該当たり板１８の細棒接触面１８ａから挿通孔４までの距離Ｌが比較的大きいのに対して、細棒接触面１８ａの縦幅ｈ（例えば１〜２ｍｍ程度）が小さくなっており、挿通孔４に挿通した細棒８の先端が細棒接触面１８ａから外れないようにするために案内板１９を用いているが、これでは、案内板１９を用いた分だけ部品点数が増加して製作費が高くつく。
【００１１】
そこで、細棒接触面１８ａの縦幅ｈを例えば６ｍｍ程度に大きくすることが考えられるが、これでは、当たり板１８がギヤ機構１３内に組み込まれているため、縦幅ｈを大きくした分だけギヤ機構１３が嵩高くなって、ケーシング１が大型化する。従って、実際上、細棒接触面１８ａの縦幅ｈを大きくすることができない。
【００１２】
また、細棒８が一般的に軟鉄製文具用クリップを直線的に延ばして形成されて曲がりやすく、その外径ｅ（例えば０．８ｍｍ程度）が小さいので、図１６に示すように、細棒８の先端が当たり板１８と案内板１９との間の隙間αに入り込むおそれがあり、これでは、エマージェンシー機構９を有効に機能させることができない。
【００１３】
本発明は、上記難点に鑑み、部品点数を増加させず小型化してエマージェンシー機構を確実に機能させることができるようにしたディスクプレーヤを提供することを目的としている。
【課題を解決するための手段】
【００１４】
上記目的を達成するため、請求項１に記載の発明は、ケーシング内に配置したトレイを前後進させるためのトレイ駆動装置と、そのトレイを細棒による手動操作で若干前進させるためのエマージェンシー機構とを有し、前記トレイ駆動装置が、前記トレイの下面に設けたラックに対向してケーシングの前部に設けたギヤ機構と、ケーシングの前部に前後進方向とは直交する横断方向に沿ってスライド可能に配置したスライドバーと、該スライドバーに突設されてトレイの下面に形成したガイド溝に嵌入するガイドピンと、前記スライドバーに一体形成されて前記ギヤ機構に係脱可能な歯部とを有し、アンローディング信号に基づいてギヤ機構を駆動することにより、該ギヤ機構に係合する歯部を介してスライドバーを一方向にスライドさせ、ガイドピンによりガイド溝の傾斜状内側面を押圧することによりトレイを若干前進させてラックをギヤ機構に噛合させると共に、前記歯部をギヤ機構から離脱させ、そのギヤ機構の駆動によりトレイを前進させるようになっており、また、前記エマージェンシー機構が前記ギヤ機構内に組み込んだ当たり板を有し、該当たり板に対向して前記ケーシングのフロントパネルに挿通孔が貫設され、該挿通孔の近傍から当たり板まで延びる案内板が配置されており、該挿通孔に挿通した細棒を案内板により案内して当たり板の細棒接触面に接触させて該当たり板を押し込むことにより、ギヤ機構及び歯部を介してスライドバーを一方向にスライドさせることによりトレイを若干前進させるようにしたディスクプレーヤにおいて、エマージェンシー機構の当たり板がギヤ機構内から取り出してケーシングのフロントパネルに接近して該ケーシングに枢着軸回りで回動可能に枢着され、該当たり板の細棒接触面の縦幅及び横幅が細棒の外径の５倍以上に設定され、前記スライドレバーの端部に突設したレバーに対向して前記当たり板にアームが突設され、前記案内板に代えて前記細棒接触面に接近する所定長さのノズルが前記フロントパネルの内側面に挿通孔と同心状に一体突設されており、挿通孔に挿通した細棒をノズルで案内し該細棒の先端を当たり板の細棒接触面に接触させて該当たり板を枢着軸回りで押し込むことにより、アーム及びレバーを介してスライドバーを一方向にスライドさせることによりトレイを若干前進させるようにしたことを特徴としている。
【００１５】
上記構成は実施の一形態（図１から図１１参照）に対応するものであって、これによれば、エマージェンシー機構の当たり板がケーシングのフロントパネルに接近されており、該フロントパネルの挿通孔から当たり板の細棒接触面までの距離が短く設定されているから、挿通孔に挿通した細棒の先端を細棒接触面に正確に対向させることができ、これに加えて、前記細棒接触面に接近する所定長さのノズルがフロントパネルの内側面に挿通孔と同心状に一体突設されているから、その挿通孔に挿通した細棒をノズルにより案内して当たり板の細棒接触面に確実に接触させ、これにより、エマージェンシー機構を円滑に作動させてトレイを若干前進させることができ、この場合、前記ノズルがフロントパネルに一体突設されているので、部品点数が増加せず、従来の案内板を用いる場合に比べて、製作費を安くすることができる。
【００１６】
また、前記当たり板がギヤ機構から離れた比較的広い空間に設けられて、該当たり板の細棒接触面の縦幅及び横幅が細棒の外径の５倍以上に広く設定されているから、ノズルから出た細棒の先端の向きが多少曲がっていても、該細棒の先端を細棒接触面に確実に接触させることができる。
【００１７】
請求項２に記載の発明は、ケーシング内に配置したトレイを前後進させるためのトレイ駆動装置と、そのトレイを細棒による手動操作で若干前進させるためのエマージェンシー機構とを有し、前記トレイ駆動装置が、前記トレイの下面に設けたラックに対向してケーシングの前部に設けたギヤ機構と、ケーシングの前部に前後進方向とは直交する横断方向に沿ってスライド可能に配置したスライドバーと、該スライドバーに突設されてトレイの下面に形成したガイド溝に嵌入するガイドピンと、前記スライドバーに一体形成されて前記ギヤ機構に係脱可能な歯部とを有し、アンローディング信号に基づいてギヤ機構を駆動することにより、該ギヤ機構に係合する歯部を介してスライドバーを一方向にスライドさせ、ガイドピンによりガイド溝の傾斜状内側面を押圧することによりトレイを若干前進させてラックをギヤ機構に噛合させると共に、前記歯部をギヤ機構から離脱させ、そのギヤ機構の駆動によりトレイを前進させるようにしたディスクプレーヤにおいて、前記エマージェンシー機構が、ケーシングのフロントパネルに接近して該ケーシングに枢着軸回りで回動可能に枢着された当たり板を有し、前記スライドレバーの端部に突設したレバーに対向して前記当たり板にアームが突設され、前記当たり板の細棒接触面に接近する所定長さのノズルが前記フロントパネルの内側面に挿通孔と同心状に一体突設されており、挿通孔に挿通した細棒をノズルで案内し該細棒の先端を当たり板の細棒接触面に接触させて該当たり板を枢着軸回りで押し込むことにより、アーム及びレバーを介してスライドバーを一方向にスライドさせることによりトレイを若干前進させるようにしたことを特徴としている。
【００１８】
上記構成によれば、エマージェンシー機構の当たり板がケーシングのフロントパネルに接近されており、該フロントパネルの挿通孔から当たり板の細棒接触面までの距離が短く設定されているから、挿通孔に挿通した細棒の先端を細棒接触面に正確に対向させることができ、これに加えて、前記細棒接触面に接近する所定長さのノズルがフロントパネルの内側面に挿通孔と同心状に一体突設されているから、その挿通孔に挿通した細棒をノズルにより案内して当たり板の細棒接触面に確実に接触させ、これにより、エマージェンシー機構を円滑に作動させてトレイを若干前進させることができ、この場合、前記ノズルがフロントパネルに一体突設されているので、部品点数が増加せず、従来の案内板を用いる場合に比べて、製作費を安くすることができる。
【００１９】
請求項３に記載の発明は、請求項２に記載の発明において、前記当たり板の細棒接触面の縦幅及び横幅が細棒の外径の５倍以上に設定されていることを特徴としている。
【００２０】
上記構成によれば、当たり板がギヤ機構から離れた比較的広い空間に設けられて、該当たり板の細棒接触面の縦幅及び横幅が細棒の外径の５倍以上に広く設定されているから、ノズルから出た細棒の先端の向きが多少曲がっていても、該細棒の先端を細棒接触面に確実に接触させることができる。
【発明の効果】
【００２１】
請求項１に記載の発明によれば、実施の一形態（図１から図１１参照）に示すように、エマージェンシー機構の当たり板がケーシングのフロントパネルに接近されており、該フロントパネルの挿通孔から当たり板の細棒接触面までの距離が短く設定されているから、挿通孔に挿通した細棒の先端を細棒接触面に正確に対向させることができ、これに加えて、前記細棒接触面に接近する所定長さのノズルがフロントパネルの内側面に挿通孔と同心状に一体突設されているから、その挿通孔に挿通した細棒をノズルにより案内して当たり板の細棒接触面に確実に接触させ、これにより、エマージェンシー機構を円滑に作動させてトレイを若干前進させることができ、この場合、前記ノズルがフロントパネルに一体突設されているので、部品点数が増加せず、従来の案内板を用いる場合に比べて、製作費を安くすることができる。
【発明を実施するための最良の形態】
【００２２】
図１から図３は本発明の実施の一形態であるディスクプレーヤを示すものであって、エマージェンシー機構９の当たり板１８がギヤ機構１３から離れてスライドバー１４の端部に対向してケーシング１のフロントパネル１ａに接近して配置され、該当たり板１８の細棒接触面１８ａに接近するノズル２１がフロントパネル１ａの内側面に挿通孔４と同心状に一体突設され、トレイ２上のディスクＤに記録されている情報を読み取るためのドライブ機構２２が設けられ、該ドライブ機構２２の姿勢を変更するためのカム機構２３が設けられている。上記以外の構成で図１２から図１４に示す構成と同一部分に同一符号を付してその説明を省略する。
【００２３】
前記ギヤ機構１３は、駆動モータ２４にプーリ・ベルト２５を介して連動連結した第１から第６のギヤ１３ａ〜１３ｆからなり、第５ギヤ１３ｅがスライドバー１４の歯部１４ａに係脱可能に噛合され、第６ギヤ１３ｆがラック１２に対向されている。
【００２４】
前記ドライブ機構２２は、図１及び図２に示すように、ケーシング１内に設けた基枠２６と、ターンテーブル２７付きスピンドルモータ２８及び光ピックアップ２９を搭載した支持枠３０とを有し、該支持枠３０の後部両端が弾性体３１を介して基枠２６の後部に連結されると共に、その支持枠３０の前側両端が弾性体３１を介してリフト枠３２に連結され、該リフト枠３２の両端部３２ａが基枠２６に一体突設した支持片２６ａ間の案内溝３３に移動可能に嵌入されている。
【００２５】
前記カム機構２３は、図４に示すように、スライドバー１４の側壁部に形成した上位溝部３５ａ及び下位溝部３５ｂを有する一対のカム溝３５と、リフト枠３２に突設されて各カム溝３５に嵌入するカムピン３６とを有している。
【００２６】
上記構成において、図１及び図２は、トレイ２をケーシング１内に収納して、ターンテーブル２７により持ち上げたディスクＤを高速回転させて、該ディスクＤに記録されている情報を光ピックアップ２９により読み取っている状態を示しており、図７（ａ）に示すように、スライドバー１４の歯部１４ａが第５ギヤ１３ｅに噛合されている。
【００２７】
次に、ローディング用押釦３（図１２参照）を押すことにより、アンローディング信号に基づいて駆動モータ２４が駆動され、ギヤ機構１３及び歯部１４ａを介してスライドバー１４が矢印ｃ方向にスライドされ、図７（ｂ））に示すように、ガイドピン１６によりガイド溝１５の傾斜状内側面１５ａを押圧することにより、トレイ２を若干前進ａさせてラック１２を第６ギヤ１３ｆに噛合させると共に、前記歯部１４ａを第５ギヤ１３ｅから離脱させる（図５参照）。
【００２８】
それと同時に、スライドバー１４のｃ方向へのスライドに伴って、各カムピン３６が各カム溝３５の上位溝部３５ａから下位溝部３５ｂまで移動されることにより、リフト枠３２がリフトダウンされ、これに連動して、支持枠３０が後側両弾性体３１を中心に傾斜姿勢にされ（図６参照）、ターンテーブル２７がトレイ２の中央貫通孔２ａを通って沈み込み、該ターンテーブル２７上のディスクＤをトレイ２に受け渡すと共に、前進ａするトレイ２をターンテーブル２７に衝突させないようにする。
【００２９】
次に、図８に示すように、第６ギヤ１３ｆの回転によりラック１２を介してトレイ２が前進ａされる。その後、トレイ２からディスクＤを取り出し、また、新たなディスクＤをトレイ２上に載置する。続いて、ローディング用押釦３を押すことにより、ローディング信号に基づいて駆動モータ２４が逆転駆動され、前記とは逆の手順で、トレイ２が後進ｂされる。
【００３０】
前記エマージェンシー機構９の当たり板１８は、図９から図１１に示すように、基端部に貫設した貫通孔１８ｂを基枠２６に突設した枢着軸３８に回動可能に嵌合させ、該枢着軸３８に抜け止めビス３９を螺合させることにより、枢着軸３８回りで回動可能に枢着され、スライドバー１４の端部に突設したレバー１４ｂに対向して当たり板１８の先端にアーム４０が突設されている。
【００３１】
前記当たり板１８の先端部前面に凹設した細棒接触面１８ａの縦幅ｈ及び横幅ｉが細棒８の外径ｅの５倍以上に設定され、また、前記ノズル２１の内径ｊが細棒８の外径ｅよりも若干大きく設定されており、その具体的寸法を示すと、細棒８の外径ｅが０．８ｍｍ、細棒接触面１８ａの縦幅ｈ及び横幅ｉが６ｍｍ、ノズル２１の内径ｊが１ｍｍ、ノズル２１の突出長さｋが２〜５ｍｍである。
【００３２】
上記構成において、押釦３を押してもトレイ２を前進ａさせることができない場合には、挿通孔４に挿通した細棒８をノズル２１で案内し該細棒８の先端を当たり板１８の細棒接触面１８ａに接触させて該当たり板１８を枢着軸３８回りで押し込むことにより、図９に仮想線で示すように、アーム４０及びレバー１４ｂを介してスライドバー１４を矢印ｃ方向にスライドさせ、ガイドピン１６によりガイド溝１５の傾斜状内側面１５ａを押圧することによりトレイ２を若干前進ａさせ（図１０の仮想線参照）、そのトレイ２の前端部を指部により引き出せばよい。
【００３３】
上記構成によれば、エマージェンシー機構９の当たり板１８がケーシング１のフロントパネル１ａに接近されており、該フロントパネル１ａの挿通孔４から当たり板１８の細棒接触面１８ａまでの距離Ｌ（図１０参照）が短く設定されているから、挿通孔４に挿通した細棒８の先端を細棒接触面１８ａに正確に対向させることができ、これに加えて、前記細棒接触面１８ａに接近する所定長さｋのノズル２１がフロントパネル１ａの内側面に挿通孔４と同心状に一体突設されているから、その挿通孔４に挿通した細棒８をノズル２１により案内して当たり板１８の細棒接触面１８ａに確実に接触させ、これにより、エマージェンシー機構９を円滑に作動させてトレイを若干前進ａさせることができ、この場合、前記ノズル２１がフロントパネル１ａに一体突設されているので、部品点数が増加せず、従来の案内板１９（図１５参照）を用いる場合に比べて、製作費を安くすることができる。
【００３４】
また、前記当たり板１８がギヤ機構１３から離れた比較的広い空間に設けられて、該当たり板１８の細棒接触面１８ａの縦幅ｈ及び横幅ｉが細棒８の外径ｅの５倍以上に広く設定されているから、ノズル２１から出た細棒８の先端の向きが多少曲がっていても、該細棒８の先端を細棒接触面１８ａに確実に接触させることができる。
【００３５】
また、前記当たり板がギヤ機構から離れた比較的広い空間に設けられて、該当たり板の細棒接触面の縦幅及び横幅が細棒の外径の５倍以上に広く設定されているから、ノズルから出た細棒の先端の向きが多少曲がっていても、該細棒の先端を細棒接触面に確実に接触させることができる。
【００３６】
請求項２に記載の発明によれば、エマージェンシー機構の当たり板がケーシングのフロントパネルに接近されており、該フロントパネルの挿通孔から当たり板の細棒接触面までの距離が短く設定されているから、挿通孔に挿通した細棒の先端を細棒接触面に正確に対向させることができ、これに加えて、前記細棒接触面に接近する所定長さのノズルがフロントパネルの内側面に挿通孔と同心状に一体突設されているから、その挿通孔に挿通した細棒をノズルにより案内して当たり板の細棒接触面に確実に接触させ、これにより、エマージェンシー機構を円滑に作動させてトレイを若干前進させることができ、この場合、前記ノズルがフロントパネルに一体突設されているので、部品点数が増加せず、従来の案内板を用いる場合に比べて、製作費を安くすることができる。
【００３７】
請求項３に記載の発明によれば、当たり板がギヤ機構から離れた比較的広い空間に設けられて、該当たり板の細棒接触面の縦幅及び横幅が細棒の外径の５倍以上に広く設定されているから、ノズルから出た細棒の先端の向きが多少曲がっていても、該細棒の先端を細棒接触面に確実に接触させることができる。
【図面の簡単な説明】
【００３８】
【図１】本発明の実施の一形態であるディスクプレーヤの平面図である。
【図２】同縦断面図である。
【図３】同トレイの平面図である。
【図４】同要部の分解斜視図である。
【図５】同アンローディング初期の部分平面図である。
【図６】同アンローディング状態の縦断面図である。
【図７】（ａ）及び（ｂ）はアンローディング操作の前半を示す概略平面図である。
【図８】同アンローディング操作の後半を示す概略平面図である。
【図９】エマージェンシー機構の水平断面図である。
【図１０】同エマージェンシー機構の縦断面図である。
【図１１】同エマージェンシー機構の分解斜視図である。
【図１２】ディスクプレーヤの斜視図である。
【図１３】従来のエマージェンシー機構の水平断面図である。
【図１４】同縦断面図である。
【図１５】同要部の斜視図である。
【図１６】同失敗例を示す縦断面図である。
【符号の説明】
【００３９】
１        ケーシング
１ａ      ケーシングのフロントパネル
２        トレイ
４        挿通孔
９        エマージェンシー機構
１０      トレイ駆動装置
１３      ギヤ機構
１４      スライドバー
１４ａ    スライドバーの歯部
１４ｂ    スライドバーのレバー
１５      ガイド溝
１５ａ    ガイド溝の傾斜状内側面
１６      ガイドピン
１８      当たり板
１８ａ    当たり板の細棒接触面
１９      案内板
２１      ノズル
３８      枢着軸
４０      アーム
ａ，ｂ    前進後進方向
ｃ，ｄ    横断方向
ｅ        細棒の外径
ｈ        細棒接触面の縦幅
ｉ        細棒接触面の横幅
【図１】
2004348933.tif 000003
【図２】
2004348933.tif 000004
【図３】
2004348933.tif 000005
【図４】
2004348933.tif 000006
【図５】
2004348933.tif 000007
【図６】
2004348933.tif 000008
【図７】
2004348933.tif 000009
【図８】
2004348933.tif 000010
【図９】
2004348933.tif 000011
【図１０】
2004348933.tif 000012
【図１１】
2004348933.tif 000013
【図１２】
2004348933.tif 000014
【図１３】
2004348933.tif 000015
【図１４】
2004348933.tif 000016
【図１５】
2004348933.tif 000017
【図１６】
2004348933.tif 000018